(57)【要約】【課題】  育成苗などの鉢植え郵便や宅配便などの公の輸送手段によっても輸送することのできる輸送箱を提供する。【解決手段】  鉢植えＰの鉢体Ｐ１を上載する底壁２と、略下半部において鉢体Ｐ１の前面を支持し、略上半部が植物Ｐ２の前側に位置する前壁３と、略下半部において鉢体Ｐ１の後面を支持し、略上半部が植物Ｐ２の後側に位置する後壁４と、略下半部において鉢体Ｐ１の左面を支持し、略上半部が植物Ｐ２の左側に位置する左壁５と、略下半部において鉢体Ｐ１の右面を支持し、略上半部が植物Ｐ２の右側に位置する右壁６と、前壁３の略中間部分から後方へ水平姿勢で延設され、鉢体Ｐ１の前部上端を支持する中間壁７と、前壁３、後壁４、左壁５および右壁６によって形成される上端開口部を閉鎖する頂壁８と、を設けて構成する。【選択図】    図４
2010247847.tif 000002
【特許請求の範囲】
【請求項１】
育成苗などの植物（Ｐ２）を鉢体（Ｐ１）に植えた鉢植え（Ｐ）を収納して輸送するための輸送箱であって、前記鉢体を上載する底壁（２）と、略下半部において前記鉢体の前面を支持し，略上半部が前記植物の前側に位置する前壁（３）と、略下半部において前記鉢体の後面を支持し，略上半部が前記植物の後側に位置する後壁（４）と、略下半部において前記鉢体の左面を支持し，略上半部が前記植物の左側に位置する左壁（５）と、略下半部において前記鉢体の右面を支持し，略上半部が前記植物の右側に位置する右壁（６）と、前記前壁の略中間部分から後方へ水平姿勢で延設され，前記鉢体の前部上端を支持する中間壁（７）と、前記前壁，後壁，左壁および右壁によって形成される上端開口部を閉鎖する頂壁（８）と、を備えることを特徴とする鉢植え輸送箱。
【請求項２】
育成苗などの植物（Ｐ２）を鉢体（Ｐ１）に植えた鉢植え（Ｐ）を，左右方向に複数並べた状態で収納して輸送するための輸送箱であって、前記鉢体を上載する底壁（２）と、略下半部において前記鉢体の前面を支持し，略上半部が前記植物の前側に位置する前壁（３）と、略下半部において前記鉢体の後面を支持し，略上半部が前記植物の後側に位置する後壁（４）と、略下半部において最も左側に位置する鉢体の左面を支持し，略上半部が前記植物の左側に位置する左壁（５）と、略下半部において最も右側に位置する鉢体の右面を支持し，略上半部が前記植物の右側に位置する右壁（６）と、前記前壁の略中間部分から後方へ水平姿勢で延設され，前記複数の鉢体の前部上端を支持する中間壁（７）と、前記前壁，後壁，左壁および右壁によって形成される上端開口部を閉鎖する頂壁（８）と、前記前壁の下部から後方へ垂直姿勢で延設され，前記中間壁と係合して固定され，隣接する鉢体の間に侵入して前記複数の鉢植えが左右方向へ移動するのを阻止する固定壁（９）と、を備えることを特徴とする鉢植え輸送箱。
【請求項３】
少なくとも前壁（３）の略上半部に、一つまたは複数の解放孔部（Ｈ）を形成したことを特徴とする請求項１または２に記載の鉢植え輸送箱。
【請求項４】
少なくとも頂壁（８）に、把持するための穴を兼ねた開口部（Ｋ）を形成したことを特徴とする請求項１，２または３に記載の鉢植え輸送箱。
【請求項５】
全体を、所定形状に裁断した一枚のダンボール（Ｃ）を折り畳むことによって形成し、組立ておよび分解自在としたことを特徴とする請求項１，２，３または４に記載の鉢植え輸送箱。
【発明の詳細な説明】
【技術分野】
【０００１】
本発明は、鉢植えを、郵便や宅配便などの公の手段によって輸送することを可能とする輸送箱に関するものである。
【背景技術】
【０００２】
従来、鉢植え（鉢に野菜や花等の植物を植えたもの）を郵便や宅配便などの公の手段によって輸送することは、鉢植えが容易に転倒してしまい易いこと等の理由から不可能とされてきた。そのため、鉢植え専用の輸送手段を必要とし、輸送コストが嵩む結果となっていた。
【発明の概要】
【発明が解決しようとする課題】
【０００３】
近年、多くの人々が家庭菜園を楽しむようになっており、野菜や花などの育成苗を植えた鉢植えを遠く離れた育苗業者から購入する機会が増えている。しかし、前述したように、こうした鉢植えを公の手段によって各家庭に輸送することはきわめて困難であることから、その改善策が求められてきた。
【０００４】
本発明はこうした問題に鑑み創案されたもので、育成苗などの鉢植え郵便や宅配便などの公の輸送手段によっても輸送することのできる輸送箱を提供することを課題とする。
【課題を解決するための手段】
【０００５】
図１乃至図７を参照して説明する。請求項１に記載の鉢植え輸送箱１は、育成苗などの植物Ｐ２を鉢体Ｐ１に植えた鉢植えＰを収納して輸送するための箱体であって、前記鉢体Ｐ１を上載する底壁２と、略下半部において前記鉢体Ｐ１の前面を支持し、略上半部が前記植物Ｐ２の前側に位置する前壁３と、略下半部において前記鉢体Ｐ１の後面を支持し、略上半部が前記植物Ｐ２の後側に位置する後壁４と、略下半部において前記鉢体Ｐ１の左面を支持し、略上半部が前記植物Ｐ２の左側に位置する左壁５と、略下半部において前記鉢体Ｐ１の右面を支持し、略上半部が前記植物Ｐ２の右側に位置する右壁６と、前記前壁３の略中間部分から後方へ水平姿勢で延設され、前記鉢体Ｐ１の前部上端を支持する中間壁７と、前記前壁３、後壁４、左壁５および右壁６によって形成される上端開口部を閉鎖する頂壁８と、を備えることを特徴とするものである。
【０００６】
請求項２に記載の鉢植え輸送箱１は、育成苗などの植物Ｐ２を鉢体Ｐ１に植えた鉢植えＰを左右方向に複数並べた状態で輸送するための箱体であって、前記鉢体Ｐ１を上載する底壁２と、略下半部において前記鉢体Ｐ１の前面を支持し、略上半部が前記植物Ｐ２の前側に位置する前壁３と、略下半部において前記鉢体Ｐ１の後面を支持し、略上半部が前記植物Ｐ２の後側に位置する後壁４と、略下半部において最も左側に位置する鉢体Ｐ１の左面を支持し、略上半部が前記植物Ｐ２の左側に位置する左壁５と、略下半部において最も右側に位置する鉢体Ｐ１の右面を支持し、略上半部が前記植物Ｐ２の右側に位置する右壁６と、前記前壁３の略中間部分から後方へ水平姿勢で延設され、前記複数の鉢体Ｐ１の前部上端を支持する中間壁７と、前記前壁３、後壁４、左壁５および右壁６によって形成される上端開口部を閉鎖する頂壁８と、前記前壁３の下部から後方へ垂直姿勢で延設され、前記中間壁７と係合して固定され、隣接する鉢体Ｐ１の間に侵入して前記複数の鉢植えＰが左右方向へ移動するのを阻止する固定壁９と、を備えることを特徴とするものである。
【０００７】
請求項３に記載の鉢植え輸送箱１は、請求項１または２に記載の発明において、少なくとも前壁３の略上半部に、一つまたは複数の解放孔部Ｈを形成したことを特徴とするものである。
【０００８】
請求項４に記載の鉢植え輸送箱１は、請求項１、２または３に記載の発明において、少なくとも頂壁８に、把持するための穴を兼ねた開口部Ｋを形成したことを特徴とするものである。
【０００９】
請求項５に記載の鉢植え輸送箱１は、請求項１、２、３または４に記載の発明において、全体を、所定形状に裁断した一枚のダンボールＣを折り畳むことによって形成し、組立ておよび分解自在としたことを特徴とするものである。
【発明の効果】
【００１０】
請求項１に記載の鉢植え輸送箱１は、鉢植えＰを底壁２に上載し、その鉢体Ｐ１の前面、後面、左面、右面を、それぞれ前壁３、後壁４、左壁５、右壁６で支持するので、鉢植えＰが前後左右に移動するのを防止することができる。また、鉢体Ｐ１の前部上端を、中間壁７によって支持するので、上下方向への移動も防止することができる。これによって、鉢体Ｐ１を安定姿勢で輸送することができるので、郵便や宅配便などの公の手段によっても容易に輸送することができる。なお、この輸送箱１は、植物Ｐ２ではなく、鉢体Ｐ１を支持するので、植物Ｐ２を傷めることがない。
【００１１】
請求項２に記載の鉢植え輸送箱１は、請求項１に記載の発明と同様に、鉢植えＰが前後左右方向および上下方向に移動するのを防止することができるので、複数の鉢植えＰを、その植物Ｐ２を傷めることなく、公の手段によっても輸送することができる。
【００１２】
また、隣接する鉢体Ｐ１の間に侵入する固定壁９を設けたので、複数の鉢植えＰが左右方向に移動するのを、より確実に防止することができる。これにより、複数の鉢植えＰを公の手段によって、さらに安定姿勢で輸送することができる。
【００１３】
請求項３に記載の鉢植え輸送箱１は、請求項１または２に記載の発明と同様の効果を発揮する。また、少なくとも前壁３の略上半部に解放孔部Ｈを形成したので、鉢植えＰに、この解放孔部Ｈを通して太陽光や空気を大量に供給することができる。従って、植物Ｐ２の活力を維持したまま輸送することができる。
【００１４】
請求項４に記載の鉢植え輸送箱１は、請求項１乃至３に記載の発明と同様の効果を発揮する。また、少なくとも頂壁８に開口部Ｋを形成したので、この開口部Ｋに指を入れて当該輸送箱１を運ぶことができる。従って、例えば、車両への積み下ろしを容易に行うことができる。なお、この開口部Ｋからも太陽光や空気を鉢植えＰに供給することができるので、植物Ｐ２の活力をさらに良好に維持することができる。
【００１５】
請求項５に記載の鉢植え輸送箱１は、請求項１乃至４に記載の発明と同様の効果を発揮する。また、この輸送箱１は、その全体を所定形状に裁断した一枚のダンボールＣで形成したので、廉価に製造することができる。また、そのダンボールＣを折り畳むことによって形成して組立ておよび分解自在としたので、その取り扱いが容易である。従って、例えば、育成苗を出荷する業者が、現場で組立てる前における輸送箱１の保管スペースを小さくすることができる。また、組み立て輸送し、出荷先で分解して小さくした状態で処分することができる。さらに、分解して出荷業者に戻し、そこで再び組立てて再利用することも可能である。
【図面の簡単な説明】
【００１６】
【図１】本発明に係る輸送箱の実施形態を示す正面図である。
【図２】図１に示す輸送箱の右側面図である。
【図３】図１に示す輸送箱の平面図である。
【図４】図１のＡ−Ａ線断面図である。
【図５】本実施形態に係る輸送箱に鉢植えを収納した状態を示す正面図である。
【図６】本実施形態に係る輸送箱に鉢植えを収納した状態を示すもので、図１のＢ−Ｂ線断面図である。
【図７】本実施形態に係る輸送箱の展開図（背面図）である。
【発明を実施するための形態】
【００１７】
本発明に係る鉢植え輸送箱１の実施形態を、図１乃至図７に示す。これは、育成苗の鉢植えＰを、左右方向に複数（６個）並べた状態で収納して輸送するための輸送箱１であり、底壁２、前壁３、後壁４、左壁５、右壁６、中間壁７、頂壁８および固定壁９を備える。この鉢植え輸送箱１は、その全体を、所定形状に裁断した一枚のダンボールＣで構成し、それに形成した折り目（またはミシン目）に沿って折り畳むことによって箱体を形成するものである。従って、組立ておよび分解自在である。なお、図７において、点線は折り目（またはミシン目）を示し、実線は裁断ラインを示す。
【００１８】
この輸送箱１の底壁２は、鉢植えＰの鉢体Ｐ１を上載する部分である。この鉢体Ｐ１は軟質ないわゆるポリ鉢であるが、ポリ鉢以外の鉢体（例えば、硬質な鉢）を上載することもできる。前壁３は、そのほぼ下半部（本実施形態では、下から１／３程度までの部分（以下において同じ））において全ての鉢体Ｐ１の前面に接触して支持し、そのほぼ上半部が全ての植物Ｐ２の前側に位置して当該植物Ｐ２を保護する。後壁４は、そのほぼ下半部において全ての鉢体Ｐ１の後面に接触して支持し、略上半部が全ての植物Ｐ２の後側に位置して当該植物Ｐ２を保護する。
【００１９】
左壁５は、そのほぼ下半部において最も左側に位置する鉢体Ｐ１の左面に接触して支持し、そのほぼ上半部が当該植物Ｐ２の左側に位置し、その植物Ｐ２を保護する。右壁６は、そのほぼ下半部において最も右側に位置する鉢体Ｐ１の右面に接触して支持し、そのほぼ上半部が当該植物Ｐ２の右側に位置し、その植物Ｐ２を保護する。
【００２０】
また、中間壁７は、前壁３のほぼ中間部分（下から１／３程度の箇所）から、その前壁３を折り返すことによって後方へ水平姿勢で延設され、下面が、全ての鉢体Ｐ１の前部上端に接触して支持する。この中間壁７を設けたことによって、前壁３には水平方向に水平孔部Ｓが形成される。
【００２１】
頂壁８は、前壁３、後壁４、左壁５および右壁６によって形成される上端開口部を閉鎖する。そして、固定壁９は前壁３の下部に形成され、後方へ折り返すことによって垂直姿勢で延設されて、中間壁７と係合することによって固定され、隣接する二つの鉢体Ｐ１の間に侵入して、複数の鉢植えＰが左右方向へ移動するのを阻止する。なお、固定壁９の固定は、その後上端部に形成した係合凹部９ａを中間壁７の後端部に係合することによって行っている。なお、これによって、中間壁７の水平姿勢を保持している。固定壁９を後方へ折り返すことによって、その部分には窓孔Ｗが形成される。
【００２２】
また、本実施形態では、前壁３の上半部に、複数の解放孔部Ｈを形成している。さらに、頂壁８に、この輸送箱１を把持するための穴を兼ねた開口部Ｋを形成している。
【００２３】
本実施形態に係る鉢植え輸送箱１は、複数の鉢植えＰを底壁２に上載し、その全ての鉢体Ｐ１の前面、後面、左面、右面を、それぞれ前壁３、後壁４、左壁５、右壁６で支持しているので、鉢植えＰが前後左右に移動するのを防止することができる。また、鉢体Ｐ１の前部上端を、中間壁７によって支持しているので、上下方向への移動も防止することができる。これによって、全ての鉢体Ｐ１を安定姿勢で輸送することができるので、郵便や宅配便などの公の手段によって各家庭に輸送することができる。また、鉢体Ｐ１を支持するので植物Ｐ２を傷めることもない。
【００２４】
また、この鉢植え輸送箱１は、隣接する二つの鉢体Ｐ１の間に侵入する固定壁９を設けているので、複数の鉢植えＰが左右方向に移動するのをさらに確実に防止することができる。これにより、複数の鉢植えＰを、さらに安定した姿勢で輸送することができる。
【００２５】
また、この輸送箱１は、前壁３の上半部に複数の解放孔部Ｈを形成しているで、全ての鉢植えＰに、この解放孔部Ｈを通して太陽光や空気を豊富に供給することができる。従って、鉢植えＰの活力を維持したまま輸送することができる。なお、中間壁７を設けたことによって形成される水平孔部Ｓからも、同様に、太陽光や空気を供給することができる。
【００２６】
また、頂壁８に開口部Ｋを形成しているので、この開口部Ｋに指を入れて輸送箱１を持ち運ぶことができ、よって、例えば、車両への積み下ろしを容易に行うことができる。なお、この開口部Ｋからも太陽光や空気を鉢植えＰに供給することができるので、鉢植えＰの活力をさらに良好に維持することができる。なお、鉢植えＰの植物Ｐ２は、この輸送箱１に収納された状態で、少なくとも５日程度は枯れることなく活力ある状態を維持することができる。
【００２７】
さらに、この輸送箱１は、その全体を一枚のダンボールＣで形成しているので、廉価に製造することができる。また、そのダンボールＣを折り畳むことによって形成して組立ておよび分解自在としているので、例えば、育成苗を出荷する業者が、現場で組立てる前における輸送箱１を小さなスペースに保管することができる。また、輸送後、出荷先で分解して小さくすることができる。従って、その取り扱いがきわめて容易である。
【００２８】
なお、複数の鉢植えＰをより安定姿勢で輸送するために、図５および図６の想像線で示すように、輸送箱１の水平孔部Ｓに沿った状態で紐Ｒを巻回して締め付けを行うことができる。この紐Ｒによって、輸送中における不意の力によって輸送箱１が分解するのを確実に防止することができる。
【００２９】
本実施形態に係る鉢植え輸送箱１は、所定形状に裁断した一枚のダンボールＣで形成しているが、その形状を図７に示す。このダンボールＣには、底壁２、前壁３、後壁４、左壁５、右壁６、中間壁７、頂壁８および固定壁９を形成する部分に加えて、底壁２の下端から第一重合壁１０を垂下設し、底壁２と第一重合壁１０との境界部分に横スリット１２を形成している。また、この底壁２の左右両端からそれぞれから第二重合壁１１を延長設し、底壁２と各第二重合壁１１との境界部分には、それぞれ縦スリット１３を形成している。
【００３０】
左壁５および右壁６の下端からはそれぞれ、対応する縦スリット１３に差し込まれる第一差込片１４を突設している。中間壁７の左右両端からは、それぞれ左壁５および右壁６を切り込むことによって第一折返片１６を突設している。
【００３１】
また、固定壁９の上端からは、中間壁７を切り込むことによって突出部９ｂを突設し、その突設片に切り込みを入れることによって係合凹部９ａを形成している。また、後壁４の上端中央部からは、横スリット１２に差し込まれる第二差込片１５を突設している。さらに、頂壁８の左右両端からは第二折返片１７を突設している。なお、各壁および各片との境界には折り目（またはミシン目）を入れて、折り易くしている。
【００３２】
本実施形態に係る鉢植え輸送箱１は、このダンボールＣを、例えば、次のような操作によって組立てることができる。まず、図７に示すように、ダンボールＣを裏返しにした状態で、第一重合壁１０と底壁２を上側へ折り返すと共に、左壁５および右壁６を内側へ折り返し、同様に折り返した第一差込片１４を縦スリット１３に差し込む。これにより、底壁２と左壁５および右壁６を組付ける。なお、この状態で、鉢植えＰを収納することが便利である。
【００３３】
次に、固定壁９と中間壁７を内側に折り込み、固定壁９の係合凹部９ａを中間壁７の先端部と係合させる。この時、第一折返片１６も内側に折り込み、左壁５および右壁６の内面側に位置させる。これによって、中間壁７と固定壁９の組付けが完了する。
【００３４】
最後に、頂壁８と後壁４を下側に折り込み、第二差込片１５を横スリット１２に差し込む。この際、第二折返片１７を内側に折り込んで左壁５および右壁６の内面側に位置させる。これによって、後壁４を底壁２に組付けることができ、輸送箱１の組付けが完了する。
【００３５】
なお、本実施形態に係る鉢植え輸送箱１は、複数（６個）の鉢植えＰを収納して輸送する構成としているが、本発明はこれに限定されるものではなく、一つの鉢植えＰを収納して輸送する構成とすることもできる。
【符号の説明】
【００３６】
１        鉢植え輸送箱
２        底壁
３        前壁
４        後壁
５        左壁
６        右壁
７        中間壁
８        頂壁
９        固定壁
９ａ      係合凹部
９ｂ      突出部
１０      第一重合壁
１１      第二重合壁
１２      横スリット
１３      縦スリット
１４      第一差込片
１５      第二差込片
１６      第一折返片
１７      第二折返片
Ｃ        ダンボール
Ｈ        解放孔部
Ｋ        開口部
Ｐ        鉢植え
Ｐ１      鉢体
Ｐ２      植物
Ｒ        紐
Ｓ        水平孔部
Ｗ        窓孔
【図１】
2010247847.tif 000003
【図２】
2010247847.tif 000004
【図３】
2010247847.tif 000005
【図４】
2010247847.tif 000006
【図５】
2010247847.tif 000007
【図６】
2010247847.tif 000008
【図７】
2010247847.tif 000009